【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
近接無線通信により外部機器とのデータの送受信を行うための通信手段と、
前記近接無線通信により前記外部機器との通信が確立したかを検知する検知手段と、
データを編集する編集手段と、を有し、
前記編集手段による第１のデータの編集中に、前記外部機器と前記近接無線通信による通信が確立したことを前記検知手段が検知した場合、前記通信手段は前記外部機器から第２のデータを受信するとともに、前記編集手段は前記通信手段により受信された前記第２のデータを、前記第１のデータに組み込む
ことを特徴とする編集装置。
【請求項２】
編集対象のデータに、他のデータを組み込む位置を示すマーカを付与する付与手段をさらに有し、
前記付与手段は、前記編集手段による前記第１のデータの編集中に、前記外部機器と前記近接無線通信による接続が確立したことを前記検知手段が検知したことに応じて、前記第１のデータに対して前記マーカを付与し、
前記編集手段は、前記通信手段により前記外部装置から受信された前記第２のデータを、前記第１のデータの、前記マーカで示される位置に組み込む
ことを特徴とする請求項１記載の編集装置。
【請求項３】
前記第１のデータの再生が一時停止されている間に、前記外部機器と前記近接無線通信による通信が確立したことを前記検知手段が検知した場合、前記付与手段は、前記第１のデータの再生が一時停止している位置に前記マーカを付与することを特徴とする請求項２に記載の編集装置。
【請求項４】
前記第１のデータの再生中に、前記外部機器と前記近接無線通信による通信が確立したことを前記検知手段が検知した場合、前記付与手段は、前記第１のデータの再生を一時停止させ、前記第１のデータの再生が一時停止している位置に前記マーカを付与する
ことを特徴とする請求項２に記載の編集装置。
【請求項５】
前記第１のデータが動画像データであり、前記第２のデータが静止画像データの場合、
前記編集手段は、前記第１のデータに組み込まれた前記第２のデータの再生時間が、前記外部機器と前記近接無線通信による接続が確立したことが前記検知手段により検知されてから、前記外部機器との前記近接無線通信による通信が切断されたことが前記検知手段により検知されるまでの時間と等しくなるように、前記第２のデータを前記第１のデータに組み込む、
ことを特徴とする請求項２乃至請求項４の何れか１項に記載の編集装置。
【請求項６】
前記編集手段は、
データの再生順を管理するプレイリストを用いて、前記第１のデータを加工せずに前記第２のデータを前記第１のデータに対して組み込む
ことを特徴とする請求項５に記載の編集装置。
【請求項７】
前記編集手段は、
前記第２のデータを、前記再生時間だけ連続的に表示させる記述を前記プレイリストに対して行うことで、前記組み込みを行う
ことを特徴とする請求項６に記載の編集装置。
【請求項８】
前記編集手段は、
前記第２のデータを、前記第１のデータと同じ形式で、前記再生時間の長さを持つ動画像データに変換して前記第１のデータに対する前記組み込みを行う
ことを特徴とする請求項５または請求項６に記載の編集装置。
【請求項９】
前記編集手段は、
前記第２のデータを、前記第１のデータと同じ形式で、前記再生時間の長さを持つ動画像データに変換し、
前記第１のデータを前記マーカの位置で分割し、該分割した位置に前記第２のデータが変換された動画像データを挿入することで、前記組み込みを行う
ことを特徴とする請求項５に記載の編集装置。
【請求項１０】
音声データを取得する音声データ取得手段をさらに有し、
前記編集手段は、前記外部機器と前記近接無線通信による接続が確立したことが前記検知手段により検知されてから、前記外部機器との前記近接無線通信による通信が切断されたことが前記検知手段により検知されるまでの間、前記音声データ取得手段により取得された音声データと、前記第２のデータとを関連付けて保存する
ことを特徴とする請求項５乃至請求項９の何れか１項に記載の編集装置。
【請求項１１】
前記編集手段は、
予め用意された音声データを前記第２のデータと関連付けて保存する
ことを特徴とする請求項５乃至請求項９の何れか１項に記載の編集装置。
【請求項１２】
前記第１のデータ及び前記第２のデータが動画像データであり、
前記編集手段は、
動画像データの再生順を管理するプレイリストを用い、前記第１のデータを加工せずに、前記第２のデータの前記第１のデータに対する前記組み込みを行う
ことを特徴とする請求項１乃至請求項５の何れか１項に記載の編集装置。
【請求項１３】
前記第１のデータ及び前記第２のデータが動画像データであり、
前記編集手段は、
前記第１のデータを前記マーカの位置で分割して該分割した位置に前記第２のデータを挿入することで、前記組み込みを行う
ことを特徴とする請求項２乃至請求項５の何れか１項に記載の編集装置。
【請求項１４】
前記編集手段は、
前記第２のデータで、前記第１のデータを前記マーカの位置から上書きする
ことを特徴とする請求項２乃至請求項５の何れか１項に記載の編集装置。
【請求項１５】
前記第１のデータが音声データを含み、前記第２のデータが音声データであって、
前記編集手段は、
前記第２のデータで、前記第１のデータに含まれる前記音声データを前記マーカの位置から上書きすることにより、前記組み込みを行う
ことを特徴とする請求項１４に記載の編集装置。
【請求項１６】
近接無線通信により外部機器とのデータの送受信を行うための通信手段と、
前記近接無線通信により前記外部機器との通信が確立したかを検知する検知手段と、データを編集する編集手段とを有する編集装置の制御方法であって、
前記編集手段による第１のデータの編集中に、前記外部機器と前記近接無線通信による通信が確立したことを前記検知手段が検知した場合、
前記通信手段が、前記外部機器から第２のデータを受信するステップと、
前記編集手段が、前記通信手段により受信された前記第２のデータを、前記第１のデータに組み込むステップと
を有する
ことを特徴とする編集装置の制御方法。
【請求項１７】
コンピュータを、請求項１乃至請求項１５の何れか１項に記載の編集装置の各手段として機能させるためのプログラム。
【請求項１８】
撮像光学系を介して入射された光を撮像して撮像信号として出力する撮像手段と、
集音した音声を音声データに変換して出力する音声処理手段と、
前記撮像手段を用いて得られた前記撮像信号に基づく動画像データと、前記音声処理手段から出力された音声データとを前記第１のデータとして記録媒体に記録する記録手段と、
前記記録媒体から前記第１のデータを再生する再生手段と、
請求項１乃至請求項１５の何れか１項に記載の編集装置と
を有する
ことを特徴とする撮像装置。
【手続補正２】
【補正対象書類名】明細書
【補正対象項目名】発明の名称
【補正方法】変更
【補正の内容】
【発明の名称】編集装置およびその制御方法、ならびに、撮像装置
【手続補正３】
【補正対象書類名】明細書
【補正対象項目名】０００１
【補正方法】変更
【補正の内容】
【０００１】
本発明は、画像の編集を行う編集装置およびその制御方法、ならびに、撮像装置に関し、特には、動画像データに対して他の機器から供給されたデータを組み込む編集を行う編集装置およびその制御方法、ならびに、撮像装置に関する。
【手続補正４】
【補正対象書類名】明細書
【補正対象項目名】０００９
【補正方法】変更
【補正の内容】
【０００９】
そこで、上述の課題の少なくとも１つを解決するため、本発明は、動画像データに対して他の機器に保存された動画像または静止画像データを組み込む編集作業を簡易に行うことができる編集装置およびその制御方法、ならびに、撮像装置を提供することを目的とする。
【手続補正５】
【補正対象書類名】明細書
【補正対象項目名】００１０
【補正方法】変更
【補正の内容】
【００１０】
上述した課題を解決するために、本発明による編集装置は、近接無線通信により外部機器とのデータの送受信を行うための通信手段と、近接無線通信により外部機器との通信が確立したかを検知する検知手段と、データを編集する編集手段と、を有し、編集手段による第１のデータの編集中に、外部機器と近接無線通信による通信が確立したことを検知手段が検知した場合、通信手段は外部機器から第２のデータを受信するとともに、編集手段は通信手段により受信された第２のデータを、第１のデータに組み込むことを特徴とする。
【手続補正６】
【補正対象書類名】明細書
【補正対象項目名】００１１
【補正方法】変更
【補正の内容】
【００１１】
また、本発明による編集装置の制御方法は、近接無線通信により外部機器とのデータの送受信を行うための通信手段と、近接無線通信により外部機器との通信が確立したかを検知する検知手段と、データを編集する編集手段とを有する編集装置の制御方法であって、編集手段による第１のデータの編集中に、外部機器と近接無線通信による通信が確立したことを検知手段が検知した場合、通信手段が、外部機器から第２のデータを受信するステップと、編集手段が、通信手段により受信された第２のデータを、第１のデータに組み込むステップとを有することを特徴とする。